(57)【要約】      （修正有）【課題】さくらんぼの粒を揃え、軸が目立つことがない贈答箱を提供する。【解決手段】贈答箱の仕切り材に、外箱内に収容される果実の軸を嵌入し保持する切込み溝を設ける。該切込み溝の開口端部は箱底に向かって下向きに形成され、かつ挿入した果実の軸の動きを抑制するようにその切込み溝の開口端部を箱底面で被覆する。さくらんぼ等の果実に特有な軸を目立たないように仕切り材に設ける切込み溝により見栄えよく隠すことができ、また、切込み溝の開放端が箱底により閉じられるように下向きに形成されているので、輸送中振動や衝撃を受けても軸は切込み溝から外れ難く、箱の中に整然と並べた果物の安定を保つことができる。【選択図】図２
0003144057.tif 000002
【実用新案登録請求の範囲】
【請求項１】
外箱と、該外箱の内部を仕切る仕切り材とからなる果実包装箱であって、
前記仕切り材に、外箱内に収容される果実の軸を嵌入し保持する切込み溝を設けると共に、該切込み溝の開口端部は箱底に向かって下向きに形成され、かつ挿入した果実の軸の動きを抑制するようにその切込み溝の開口端部が箱底面で被覆されるように形成されていることを特徴とする包装箱。
【請求項２】
前記切込み溝は、互いに連通するように設ける上下方向に伸びる溝と横方向に伸びる溝とから形成されていることを特徴とする請求項１に記載の包装箱。
【請求項３】
外箱が身と蓋となる被せ箱であること特徴とする請求項１又は２の何れかに記載包装箱。
【請求項４】
箱に収容する果実がさくらんぼであること特徴とする請求項１〜３の何れか１項に記載の包装箱。
【考案の詳細な説明】
【技術分野】
【０００１】
この考案は、主にさくらんぼ等の果実を見栄えよく並べて収容することができる包装箱に関する。
【背景技術】
【０００２】
さくらんぼ等の果実は、箱に詰めて贈答品や見舞い品として利用されることが多い。さくらんぼを箱に詰める場合、通常は、さくらんぼの粒を揃え、軸を下にして整然と、見た目よくならべて所定の包装箱に手詰めするか、バラ詰めして出荷する。しかし、一般に大玉で、軸の太いさくらんぼは、見た目よく包装箱にならべることが難しい。そればかりか、さくらんぼの軸が目立ちやすいので、これを目立たないようにしたいとの出荷側の要望があった。
【０００３】
一方、輸送時に包装箱の中で商品の果実は動くと痛むおそれがあり、また整然と並べた果実の見栄えが悪くなり、贈り物としての商品価値が低下する。そこで、輸送中の振動や衝撃から商品を保護し、ガタツキを防止し、安定を保つ目的で包装箱の中に、薄紙を敷いたり、詰め物（台座や緩衝材等）や仕切を入れて商品の果実を保護することが行われている。しかし薄紙や詰め物を使用すると包装費をアップさせ、美観を害する他、廃棄処理も面倒である。
【０００４】
最近、さくらんぼの包装箱に設ける仕切り材の上部に、さくらんぼの軸を掛け止める切込み溝を設けたものが提案されている。しかしその切込み溝は仕切り材の上部に設けるため、これにさくらんぼの軸を掛けると、さくらんぼの軸が目立ちやすかった。また、切込み溝は上方に開いているので、振動によってさくらんぼの軸がその切込み溝より外れやすく、出荷時整然と並べた果物の美観を害し、見た目にも見栄えがよいとは言えなかった。
【考案の開示】
【考案が解決しようとする課題】
【０００５】
本考案の目的は上記従来技術の問題点を解消することであって、商品に特有な軸を目立たないように箱の仕切り材に設ける切込み溝で見栄えよく隠すことができ、また、輸送中振動や衝撃を受けても箱の中に整然と並べた果物の安定を保つことができる包装箱を提供することである。
【課題を解決するための手段】
【０００６】
上記課題を解決するため、本考案の請求項１は、
外箱と、該外箱の内部を仕切るための仕切り材と有する果実包装箱であって、
前記仕切り材に、外箱内に収容される果実の軸を嵌入し保持する切込み溝を設けると共に、該切込み溝の開口端部は箱底に向かって下向きに形成され、かつ挿入した果実の軸の動きを抑制するようにその切込み溝の開口端部が箱底面で被覆されるように形成されていることを特徴とする包装箱である。
【０００７】
請求項２の考案は、前記切込み溝は、互いに連通するように設ける上下方向（縦方向）に伸びる溝と横方向に伸びる溝とから形成されていることを特徴とする包装箱である。
【０００８】
請求項３の考案は、外箱が身と蓋となる被せ箱であること特徴とする包装箱である。
【０００９】
請求項４の考案は、箱内に収容する果実がさくらんぼであること特徴とする包装箱である。
【考案の効果】
【００１０】
本考案によれば、さくらんぼ等の果実に特有な軸を目立たないように仕切り材に設ける切込み溝により見栄えよく隠すことができ、また、切込み溝の開放端が箱底により閉じられるように下向きに形成されているので、輸送中振動や衝撃を受けても軸は切込み溝から外れ難く、箱の中に整然と並べた果物の安定を保つことができる。
【考案を実施するための最良の形態】
【００１１】
以下、添付図面を参照して本考案の実施の形態を説明する。
図１は、本考案のさくらんぼの包装箱の一例を示し、外箱が身１と蓋２となる被せ箱として形成されている。身（箱）１の中に、井桁状に組合わせた組仕切り３が設けられ、その中に一例として、さくらんぼ１０が整然と並べて収容されている。
図２は、さくらんぼ１０の収納状態を示す拡大図である。
図３の（１）は、身（箱）のブランクシートの展開図、図３の（２）は、蓋のブランクシートの展開図、図４の（１）（２）は、組仕切りのシート展開図である。
本考案の包装箱は、廃棄処理並びにリサイクル処理の容易な紙を素材としてブランクシートが作製される。上記ブランクシートに使用する紙は段ボールまたは板紙である。本考案のブランクシートに使用する段ボールは、段高が１.２ｍｍ程度のＥ段と呼ばれる段ボール、好ましくは段高が１.０ｍｍ以下、３０ｃｍ当たりの段数が９０以上のマイクロフルート段ボールが使用される。
【００１２】
次に、仕切り材の構成を図４を参照しながら説明する。図４の（１）は正仕切り板Ａの展開図、図４の（２）は副仕切り板Ｂの展開図であり、それぞれには、互いに井桁状に噛み合わせる係合溝４ａ、４ｂが形成されている。また、これらの正副仕切り板の少なくとも一方には、箱内に収容される果実の軸を嵌入し保持する切込み溝５を設ける。該切込み溝５の開口端部は組立て時に箱底に向かう位置に形成され、かつ挿入した果実の軸の動きを抑制することができるようにその切込み溝５の開口端部が箱底面で被覆されるように形成されている（図２参照）。
【００１３】
図５の（１）（２）は、型抜きした切込み溝５の形状例であり、斜線で示した個所を切抜いて箱底に向かう位置に、上下方向（縦方向）に伸びる溝５ａと横方向に伸びる溝５ｂとを、互いに連通するように形成するのが好ましい。そして、４Ｌサイズ（３１ｍｍ以上）の大玉のさくらんぼの寸法を考慮した場合、溝５ａの寸法ｈは１２．５ｍｍ、寸法ｌは１４ｍｍ、Ｓ１は６ｍｍ、Ｓ２は８ｍｍ位にするのが好ましい。
さくらんぼの軸が挿入しやすいように、上下方向の溝５ａは、大きめに形成するのがよく、横方向に伸びる溝５ｂは、出荷時にさくらんぼが動かないように、その軸を固定するために小さめに設定するのが良い。
このように構成した切込み溝５に、さくらんぼの軸を差し込み、横方向に伸びる溝５ｂに固定すると、輸送中振動や衝撃を受けても軸は切込み溝から外れ難く、箱の中に整然と並べた果物の安定を保つことができる。従って、綺麗なさくらんぼの粒が整然とならぶこととなる。
【００１４】
なお本考案は、さくらんぼを出荷商品とした事例について説明したが、本考案は上記した実施の形態に限定されるものではない。本考案の要旨を逸脱しない範囲内において、例えばメロン、ぶどう等の果実を見栄えよく並べて収容する場合にも本考案は適用可能である。
【図面の簡単な説明】
【００１５】
【図１】本考案のさくらんぼの包装箱の一例を示す斜視図。
【図２】同上さくらんぼの収納状態を示す拡大図。
【図３】図３の（１）は、身（箱）のブランクシートの展開図、図３の（２）は、蓋のブランクシートの展開図。
【図４】、図４の（１）（２）は、組仕切りの展開図。
【図５】図５の（１）（２）は、型抜きした切込み溝の形状説明図。
【符号の説明】
【００１６】
１  身箱
２  蓋
３  組仕切り
４ａ，４ｂ  係合溝
５  切込み溝
１０  さくらんぼ
Ａ、Ｂ  正副仕切り板
【図１】
0003144057.tif 000003
【図２】
0003144057.tif 000004
【図３】
0003144057.tif 000005
【図４】
0003144057.tif 000006
【図５】
0003144057.tif 000007